(57)【要約】【課題】アンテナ特性が劣化することを回避しながら端子が配置される領域を防水することが可能な電子機器を提供すること。【解決手段】電子機器１は、アンテナユニット１６と、アンテナユニットが設けられたユニット配置部１２ａと、を備え、アンテナユニットは、エレメントと、第１の配線及び第１の配線と接続され且つ外部に露出する第１の端子１６ｃ１を有するとともに屈折可能な第１の端子部１６ｃと、第２の配線及び第２の配線と接続され且つ外部に露出する第２の端子１６ｄ１を有するとともに屈折可能な第２の端子部１６ｄと、を備え、ユニット配置部には、第１の貫通穴ＨＬ１と第２の貫通穴ＨＬ２とが設けられ、第１の端子部は第１の貫通穴に挿入され、第２の端子部は上記第２の貫通穴に挿入され、電子機器は、第１の貫通穴及び第２の貫通穴を塞ぐ被覆部材ＦＬを備える。【選択図】図２４
2013106286.tif 000002
【特許請求の範囲】
【請求項１】
電子機器であって、
アンテナユニットと、
前記アンテナユニットが設けられたユニット配置部と、
を備え、
前記アンテナユニットは、
電磁波を送受信するためのエレメントと、
前記エレメントと電気的に接続された第１の配線と、当該第１の配線と接続され且つ外部に露出する第１の端子と、を有するとともに屈折可能な第１の端子部と、
前記エレメントと電気的に接続された第２の配線と、当該第２の配線と接続され且つ外部に露出する第２の端子と、を有するとともに屈折可能な第２の端子部と、
を備え、
前記ユニット配置部には、第１の貫通穴と、第２の貫通穴と、が設けられ、
前記第１の端子部は、前記第１の貫通穴に挿入され、
前記第２の端子部は、前記第２の貫通穴に挿入され、
前記電子機器は、更に、
前記第１の貫通穴及び第２の貫通穴を塞ぐ被覆部材を備える電子機器。
【請求項２】
請求項１に記載の電子機器であって、
前記第１の配線は、第１の方向に沿うように配置され、
前記第１の端子部は、前記第１の方向にて屈折されることにより前記第１の貫通穴に挿入され、
前記第２の配線は、前記第１の方向と交差する第２の方向に沿うように配置され、
前記第２の端子部は、前記第２の方向にて屈折されることにより前記第２の貫通穴に挿入される電子機器。
【請求項３】
請求項１又は請求項２に記載の電子機器であって、
前記第１の端子部、及び、前記第２の端子部のそれぞれは、シート状であり、
前記第１の端子部は、一方の面に前記第１の端子を有し、
前記第２の端子部は、前記第１の端子部の、前記第１の端子が配置された面と同じ側の面に前記第２の端子を有する電子機器。
【請求項４】
請求項１乃至請求項３のいずれかに記載の電子機器であって、
前記アンテナユニットは、
前記エレメントが設けられたエレメント配設部と、
前記第１の端子部及び前記第２の端子部が設けられた端子部連結部と、
を備え、
前記端子部連結部には、第３の貫通穴と、第４の貫通穴と、があり、
前記第１の端子部は、前記第３の貫通穴を形成する縁部から延在し、
前記第２の端子部は、前記第４の貫通穴を形成する縁部から延在する電子機器。
【請求項５】
請求項４に記載の電子機器であって、
前記端子部連結部は、短辺と長辺とを有する長方形状であり、
前記第３の貫通穴と、前記第４の貫通穴と、は、長辺方向において並ぶように設けられ、
前記第１の端子部は、前記第３の貫通穴を形成する縁部のうちの前記第４の貫通穴との間の距離が最も短い部分と長辺方向にて連結され、
前記第２の端子部は、前記第４の貫通穴を形成する縁部と短辺方向にて連結される電子機器。
【請求項６】
請求項５に記載の電子機器であって、
前記第２の貫通穴は、前記第１の端子部を前記ユニット配置部に対して折り返すように屈折させた状態における当該第１の端子部と、前記第４の貫通穴を形成する縁部のうちの前記第２の端子部が連結されている部分と、の間に形成される電子機器。
【請求項７】
請求項１乃至請求項６のいずれかに記載の電子機器であって、
前記アンテナユニットは、シート状である電子機器。
【請求項８】
アンテナユニットであって、
電磁波を送受信するためのエレメントと、
前記エレメントと電気的に接続された第１の配線と、当該第１の配線と接続され且つ外部に露出する第１の端子と、を有するとともに屈折可能な第１の端子部と、
前記エレメントと電気的に接続された第２の配線と、当該第２の配線と接続され且つ外部に露出する第２の端子と、を有するとともに屈折可能な第２の端子部と、
を備え、
前記第１の端子部は、前記アンテナユニットが設けられるユニット配置部に設けられた第１の貫通穴に挿入され、且つ、
前記第２の端子部は、前記ユニット配置部に設けられた第２の貫通穴に挿入されるように構成されたアンテナユニット。
【請求項９】
請求項８に記載のアンテナユニットであって、
前記第１の配線は、第１の方向に沿うように配置され、
前記第１の端子部は、前記第１の方向にて屈折されることにより前記第１の貫通穴に挿入され、
前記第２の配線は、前記第１の方向と交差する第２の方向に沿うように配置され、
前記第２の端子部は、前記第２の方向にて屈折されることにより前記第２の貫通穴に挿入されるように構成されたアンテナユニット。
【請求項１０】
請求項８又は請求項９に記載のアンテナユニットであって、
前記第１の端子部、及び、前記第２の端子部のそれぞれは、シート状であり、
前記第１の端子部は、一方の面に前記第１の端子を有し、
前記第２の端子部は、前記第１の端子部の、前記第１の端子が配置された面と同じ側の面に前記第２の端子を有するアンテナユニット。
【請求項１１】
請求項８乃至請求項１０のいずれかに記載のアンテナユニットであって、
前記エレメントが設けられたエレメント配設部と、
前記第１の端子部及び前記第２の端子部が設けられた端子部連結部と、
を備え、
前記端子部連結部には、第３の貫通穴と、第４の貫通穴と、があり、
前記第１の端子部は、前記第３の貫通穴を形成する縁部から延在し、
前記第２の端子部は、前記第４の貫通穴を形成する縁部から延在するアンテナユニット。
【請求項１２】
請求項１１に記載のアンテナユニットであって、
前記端子部連結部は、短辺と長辺とを有する長方形状であり、
前記第３の貫通穴と、前記第４の貫通穴と、は、長辺方向において並ぶように設けられ、
前記第１の端子部は、前記第３の貫通穴を形成する縁部のうちの前記第４の貫通穴との間の距離が最も短い部分と長辺方向にて連結され、
前記第２の端子部は、前記第４の貫通穴を形成する縁部と短辺方向にて連結されるアンテナユニット。
【請求項１３】
請求項１２に記載のアンテナユニットであって、
前記第２の貫通穴は、前記第１の端子部を前記ユニット配置部に対して折り返すように屈折させた状態における当該第１の端子部と、前記第４の貫通穴を形成する縁部のうちの前記第２の端子部が連結されている部分と、の間に形成されるアンテナユニット。
【請求項１４】
請求項８乃至請求項１３のいずれかに記載のアンテナユニットであって、
シート状であるアンテナユニット。
【発明の詳細な説明】
【技術分野】
【０００１】
本発明は、筐体の内部を防水するように構成された電子機器に関する。
【背景技術】
【０００２】
筐体の内部を防水するように構成された電子機器が知られている。この種の電子機器の一つとして、特許文献１に記載の電子機器は、筐体と、筐体の外部と筐体の内部とを接続するフレキシブル・プリント基板（ＦＰＣ；Ｆｌｅｘｉｂｌｅ  Ｐｒｉｎｔｅｄ  Ｃｉｒｃｕｉｔ）と、を備える。
【０００３】
ＦＰＣは、外部に露出する端子を有する端子部を備える。筐体には、貫通穴が形成されている。ＦＰＣの端子部は、貫通穴に挿入されることにより、筐体の内部に配置される。これにより、ＦＰＣの端子と、筐体の内部に配置された基板と、が接続される。
【０００４】
更に、電子機器は、貫通穴を塞ぐように被覆する被覆部材を備える。これにより、端子が配置された領域（例えば、端子が接続された基板が収容されている領域）を防水することができる。
【先行技術文献】
【特許文献】
【０００５】
【特許文献１】特開２０１１−１４６９７１号公報
【発明の概要】
【発明が解決しようとする課題】
【０００６】
ところで、アンテナユニットは、電磁波を送受信するためのエレメントと、外部に露出する２つの端子と、エレメントと２つの端子とをそれぞれが接続する２つの配線と、を有する。例えば、２つの端子の一方は、接地され、２つの端子の他方は、無線信号を送受信するための回路に接続される。
【０００７】
また、電子機器においては、防水されない領域である非防水領域にエレメントを配置するとともに、防水される領域である防水領域に端子を配置することが好適である場合がある。
【０００８】
この場合、特許文献１に記載の技術をアンテナユニットに適用することにより、２つの配線が平行に並ぶように配置され且つ２つの端子を有する端子部を、１つの貫通穴に挿入することによって、当該２つの端子を防水領域に配置することが考えられる。
【０００９】
しかしながら、２つの配線を比較的近い距離にて平行に並ぶように配置すると、２つの配線間で信号が干渉することにより、アンテナ特性（例えば、アンテナユニットによる無線信号の受信感度等）が劣化する虞があった。なお、このような問題は、２つの端子のそれぞれが、異なる回路（例えば、無線信号を送受信するための回路、及び、アンテナユニットに電力を供給するための回路等）に接続されている場合も同様に生じる。
【００１０】
このため、本発明の目的は、上述した課題である「端子が配置される領域を防水する場合にアンテナ特性が劣化すること」を解決することが可能な電子機器を提供することにある。
【課題を解決するための手段】
【００１１】
かかる目的を達成するため本発明の一形態である電子機器は、
アンテナユニットと、
上記アンテナユニットが設けられたユニット配置部と、
を備え、
上記アンテナユニットは、
電磁波を送受信するためのエレメントと、
上記エレメントと電気的に接続された第１の配線と、当該第１の配線と接続され且つ外部に露出する第１の端子と、を有するとともに屈折可能な第１の端子部と、
上記エレメントと電気的に接続された第２の配線と、当該第２の配線と接続され且つ外部に露出する第２の端子と、を有するとともに屈折可能な第２の端子部と、
を備え、
上記ユニット配置部には、第１の貫通穴と、第２の貫通穴と、が設けられ、
上記第１の端子部は、上記第１の貫通穴に挿入され、
上記第２の端子部は、上記第２の貫通穴に挿入され、
上記電子機器は、更に、
上記第１の貫通穴及び第２の貫通穴を塞ぐ被覆部材を備える。
【００１２】
また、本発明の他の形態であるアンテナユニットは、
電磁波を送受信するためのエレメントと、
上記エレメントと電気的に接続された第１の配線と、当該第１の配線と接続され且つ外部に露出する第１の端子と、を有するとともに屈折可能な第１の端子部と、
上記エレメントと電気的に接続された第２の配線と、当該第２の配線と接続され且つ外部に露出する第２の端子と、を有するとともに屈折可能な第２の端子部と、
を備え、
上記第１の端子部は、上記アンテナユニットが設けられるユニット配置部に設けられた第１の貫通穴に挿入され、且つ、
上記第２の端子部は、上記ユニット配置部に設けられた第２の貫通穴に挿入されるように構成される。
【発明の効果】
【００１３】
本発明は、以上のように構成されることにより、アンテナ特性が劣化することを回避しながら端子が配置される領域を防水することができる。
【図面の簡単な説明】
【００１４】
【図１】本発明の第１実施形態に係る電子機器の正面図である。
【図２】本発明の第１実施形態に係る電子機器の背面図である。
【図３】本発明の第１実施形態に係る電子機器の左側面図である。
【図４】本発明の第１実施形態に係る電子機器の右側面図である。
【図５】本発明の第１実施形態に係る電子機器の上側面図である。
【図６】本発明の第１実施形態に係る電子機器の下側面図である。
【図７】図２のＶＩＩ−ＶＩＩ線により電子機器を切断した断面図である。
【図８】図７の破線により示した領域を拡大した断面図である。
【図９】図２のＩＸ−ＩＸ線により電子機器を切断した断面図である。
【図１０】図９の破線により示した領域を拡大した断面図である。
【図１１】本発明の第１実施形態に係るアンテナユニットを電子機器に取り付ける前のアンテナユニットの正面図である。
【図１２】本発明の第１実施形態に係るアンテナユニットを電子機器に取り付ける前のアンテナユニットの背面図である。
【図１３】本発明の第１実施形態に係るアンテナユニットを電子機器に取り付ける前のアンテナユニットの左側面図である。
【図１４】本発明の第１実施形態に係るアンテナユニットを電子機器に取り付ける前のアンテナユニットの右側面図である。
【図１５】本発明の第１実施形態に係るアンテナユニットを電子機器に取り付ける前のアンテナユニットの上側面図である。
【図１６】本発明の第１実施形態に係るアンテナユニットを電子機器に取り付ける前のアンテナユニットの下側面図である。
【図１７】本発明の第１実施形態に係るアンテナユニットを電子機器に取り付けた後の、筐体の正面から背面へ向かう方向にてアンテナユニットを見た図である。
【図１８】本発明の第１実施形態に係るアンテナユニットを電子機器に取り付けた後の、筐体の背面から正面へ向かう方向にてアンテナユニットを見た図である。
【図１９】図１７における左側からアンテナユニットを見た左側面図である。
【図２０】図１７における右側からアンテナユニットを見た右側面図である。
【図２１】図１７における上側からアンテナユニットを見た上側面図である。
【図２２】図１７における下側からアンテナユニットを見た下側面図である。
【図２３】本発明の第１実施形態に係るアンテナユニットを電子機器に取り付ける前の、筐体の正面から背面へ向かう方向にてユニット配置部を見た図である。
【図２４】本発明の第１実施形態に係るアンテナユニットを電子機器に取り付けた後の、筐体の正面から背面へ向かう方向にてユニット配置部を見た図である。
【発明を実施するための形態】
【００１５】
以下、本発明に係る、電子機器、及び、アンテナユニット、の各実施形態について図１〜図２４を参照しながら説明する。
【００１６】
＜第１実施形態＞
（構成）
図１に示したように、第１実施形態に係る電子機器１は、携帯電話端末（本例では、スマートフォン）である。なお、電子機器１は、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、タブレット端末、パーソナル・コンピュータ、又は、ゲーム端末等であってもよい。
【００１７】
図１は、電子機器１の正面図である。図２は、電子機器１の背面図である。図３は、図１における左側から電子機器１を見た左側面図である。図４は、図１における右側から電子機器１を見た右側面図である。図５は、図１における上側から電子機器１を見た上側面図である。図６は、図１における下側から電子機器１を見た下側面図である。
【００１８】
図７は、図２のＶＩＩ−ＶＩＩ線により電子機器１を切断した断面図である。図８は、図７の破線により示した領域ＭＡ８を拡大した断面図である。図９は、図２のＩＸ−ＩＸ線により電子機器１を切断した断面図である。図１０は、図９の破線により示した領域ＭＡ１０を拡大した断面図である。
【００１９】
図１乃至図６に示したように、電子機器１は、平板状の、正面視において４つの辺を有する長方形状を有する筐体１０を備える。筐体１０は、平面である正面ＦＳと、背面ＲＳと、側面ＳＳと、を有する。
【００２０】
本例では、ユーザの手の大きさが異なっていてもユーザが電子機器１を保持しやすいように筐体１０の短辺方向における背面ＲＳの端部は、筐体１０の端に近づくにつれて、背面ＲＳと正面ＦＳとの間の距離が短くなるように湾曲している。更に、筐体１０は、背面ＲＳの長辺方向における両端部のうちの一方が湾曲し、且つ、当該両端部のうちの他方が屈曲している。
【００２１】
なお、筐体１０の短辺方向における背面ＲＳの端部は、筐体１０の端に近づくにつれて、背面ＲＳと正面ＦＳとの間の距離が長くなるように、湾曲又は屈曲していてもよい。また、筐体１０の短辺方向において、背面ＲＳと正面ＦＳとの間の距離は、同一の長さであってもよい。
【００２２】
なお、電子機器１は、複数の筐体を備えていてもよい。この場合、電子機器１は、本発明が、すべての筐体に適用されるように構成されていてもよく、複数の筐体のうちの一部の筐体のみに適用されるように構成されていてもよい。例えば、電子機器１は、折り畳み式、又は、スライド式の電子機器であってもよい。
【００２３】
筐体１０は、フロントケース１１と、リヤケース１２と、リヤカバー１３と、ディスプレイ１４と、を備える。フロントケース１１は、筐体１０の正面ＦＳの一部を主に構成する。リヤケース１２は、筐体１０の背面ＲＳの一部と、筐体１０の側面ＳＳと、を主に構成する。リヤカバー１３は、筐体１０の背面ＲＳの一部を主に構成する。ディスプレイ１４は、筐体１０の正面ＦＳの一部を主に構成する。ディスプレイ１４は、情報を表示する。
【００２４】
更に、電子機器１は、図７乃至図１０に示したように、基板１５と、アンテナユニット１６と、を備える。
【００２５】
基板１５は、平板状に形成される。基板１５は、筐体１０の内部にて、正面ＦＳと略平行に配置される。本例では、基板１５は、フロントケース１１に固定されている。基板１５は、後述するアンテナユニット１６の第１の端子１６ｃ１及び第２の端子１６ｄ１を押圧するためのバネ接点１５ａ，１５ｂを備える。
【００２６】
先ず、アンテナユニット１６を電子機器１に取り付ける前のアンテナユニット１６について説明する。
【００２７】
図１１は、アンテナユニット１６を電子機器１に取り付ける前のアンテナユニット１６の正面図である。図１２は、アンテナユニット１６を電子機器１に取り付ける前のアンテナユニット１６の背面図である。図１３は、図１１における左側からアンテナユニット１６を見た左側面図である。図１４は、図１１における右側からアンテナユニット１６を見た右側面図である。図１５は、図１１における上側からアンテナユニット１６を見た上側面図である。図１６は、図１１における下側からアンテナユニット１６を見た下側面図である。
【００２８】
図１１乃至図１６に示したように、アンテナユニット１６は、正面ＭＳと背面ＮＳとを有するシート状に形成される。アンテナユニット１６は、エレメント配設部１６ａと、端子部連結部１６ｂと、第１の端子部１６ｃと、第２の端子部１６ｄと、を備える。
【００２９】
エレメント配設部１６ａは、長辺と短辺とを有する長方形状を有する。エレメント配設部１６ａには、図示しないエレメントが配設される。エレメントは、電磁波を送受信するための配線である。例えば、エレメントは、一列に並ぶ格子状の配線を含む。
【００３０】
端子部連結部１６ｂは、長辺と短辺とを有する長方形状を有する。端子部連結部１６ｂには、第１の端子部１６ｃ及び第２の端子部１６ｄのそれぞれが連結される。
【００３１】
アンテナユニット１６は、エレメント配設部１６ａの長辺方向と、端子部連結部１６ｂの長辺方向と、が直交するように形成されている。更に、アンテナユニット１６は、エレメント配設部１６ａの隅部と、端子部連結部１６ｂの隅部と、が連接するように形成されている。
【００３２】
端子部連結部１６ｂには、第３の貫通穴ＨＬ３と、第４の貫通穴ＨＬ４と、が形成されている。第３の貫通穴ＨＬ３は、長辺と短辺とを有する長方形状を有する。第３の貫通穴ＨＬ３は、第３の貫通穴ＨＬ３の長辺方向が、端子部連結部１６ｂの長辺方向に沿うように（平行となるように）形成されている。
【００３３】
第４の貫通穴ＨＬ４は、長辺と短辺とを有する長方形状を有する。第４の貫通穴ＨＬ４は、第４の貫通穴ＨＬ４の長辺方向が、端子部連結部１６ｂの長辺方向に沿うように（平行となるように）形成されている。第４の貫通穴ＨＬ４の長辺方向における長さは、第３の貫通穴ＨＬ３の長辺方向における長さよりも短い。更に、第４の貫通穴ＨＬ４の短辺方向における長さは、第３の貫通穴ＨＬ３の短辺方向における長さよりも僅かに長い。
【００３４】
第３の貫通穴ＨＬ３と、第４の貫通穴ＨＬ４と、は、端子部連結部１６ｂの長辺方向において並ぶように配置される。第３の貫通穴ＨＬ３は、端子部連結部１６ｂの長辺方向におけるエレメント配設部１６ａとの間の距離が、第４の貫通穴ＨＬ４よりも長くなるように配置されている。
【００３５】
第１の端子部１６ｃは、長辺と短辺とを有する長方形状を有する。第１の端子部１６ｃの短辺方向における長さは、第３の貫通穴ＨＬ３の短辺方向における長さよりも短い。第１の端子部１６ｃの長辺方向における長さは、第３の貫通穴ＨＬ３の長辺方向における長さよりも短い。
【００３６】
本例では、後述するように、第１の端子部１６ｃを屈折させる際の第１の端子部１６ｃの取り出しやすさ、及び、組み立て性のため、並びに、後述する第１の貫通穴ＨＬ１の大きさを小さくするために、第１の端子部１６ｃの長辺方向における長さは、第３の貫通穴ＨＬ３の長辺方向における長さよりも短くされている。なお、第１の端子部１６ｃの長辺方向における長さは、第３の貫通穴ＨＬ３の長辺方向における長さよりも長くされていてもよい。
【００３７】
第１の端子部１６ｃは、アンテナユニット１６の背面ＮＳにて外部に露出する第１の端子１６ｃ１を有する。
【００３８】
端子部連結部１６ｂは、第１の端子部１６ｃと屈折可能に繋がっている（連結されている）。本例では、端子部連結部１６ｂと第１の端子部１６ｃとは、フレキシブル・プリント基板（ＦＰＣ；Ｆｌｅｘｉｂｌｅ  Ｐｒｉｎｔｅｄ  Ｃｉｒｃｕｉｔｓ）１６ｅを介して繋がっている。
【００３９】
具体的には、ＦＰＣ１６ｅは、端子部連結部１６ｂのうちの、第３の貫通穴ＨＬ３を形成する縁部のうちの第４の貫通穴ＨＬ４との間の距離が最も短い部分（本例では、第３の貫通穴ＨＬ３の長辺方向における一端と隣接する部分）と、第１の端子部１６ｃの長辺方向における端と、の間に配設されている。即ち、ＦＰＣ１６ｅは、端子部連結部１６ｂのうちの、第３の貫通穴ＨＬ３を形成する縁部のうちの第４の貫通穴ＨＬ４との間の距離が最も短い部分と、第１の端子部１６ｃの長辺方向における端と、を端子部連結部１６ｂの長辺方向にて連結する。即ち、第１の端子部１６ｃは、第３の貫通穴ＨＬ３を形成する縁部から延在している、と言うことができる。
【００４０】
第１の端子１６ｃ１は、第１の端子部１６ｃの中央部よりも、長辺方向にて僅かに先端部（即ち、端子部連結部１６ｂと連結されている端部と反対側の端部）側に配置されている。第１の端子１６ｃ１は、図示しない第１の配線を介してエレメントと電気的に接続されている。第１の配線は、第１の端子部１６ｃの長辺方向（第１の方向）に沿って伸びるように第１の端子部１６ｃに配設されている。
【００４１】
第２の端子部１６ｄは、長辺と短辺とを有する長方形状を有する。第２の端子部１６ｄは、第２の端子部１６ｄの長辺方向が、端子部連結部１６ｂの長辺方向に沿うように（平行となるように）形成されている。第２の端子部１６ｄの短辺方向における長さは、第４の貫通穴ＨＬ４の短辺方向における長さと略同じである。第２の端子部１６ｄの長辺方向における長さは、第４の貫通穴ＨＬ４の長辺方向における長さよりも短い。なお、第２の端子部１６ｄの短辺方向における長さは、第４の貫通穴ＨＬ４の短辺方向における長さよりも長くされていてもよい。
【００４２】
第２の端子部１６ｄは、アンテナユニット１６の背面ＮＳ（即ち、第１の端子部１６ｃの第１の端子１６ｃ１が配置された面と同じ側の面）にて外部に露出する第２の端子１６ｄ１を有する。
【００４３】
端子部連結部１６ｂは、第２の端子部１６ｄと屈折可能に連結される。本例では、端子部連結部１６ｂと第２の端子部１６ｄとは、ＦＰＣ１６ｆを介して繋がっている。
【００４４】
具体的には、ＦＰＣ１６ｆは、第２の端子部１６ｄの短辺方向における端と、端子部連結部１６ｂのうちの、第４の貫通穴ＨＬ４を形成する縁部の一部（本例では、第４の貫通穴ＨＬ４の短辺方向における一端と隣接する部分）との間に配設されている。即ち、ＦＰＣ１６ｆは、第２の端子部１６ｄの短辺方向における端と、端子部連結部１６ｂのうちの、第４の貫通穴ＨＬ４を形成する縁部の一部と、を連結する。即ち、第２の端子部１６ｄは、第４の貫通穴ＨＬ４を形成する縁部から延在している、と言うことができる。
【００４５】
第２の端子１６ｄ１は、第２の端子部１６ｄのうちの短辺方向における先端部（即ち、端子部連結部１６ｂと連結されている端部と反対側の端部）に配置されている。第２の端子１６ｄ１は、図示しない第２の配線を介してエレメントと電気的に接続されている。第２の配線は、第２の端子部１６ｄの短辺方向（第２の方向、即ち、第１の方向と直交する方向）に沿って伸びるように第２の端子部１６ｄに配設されている。
【００４６】
なお、エレメント配設部１６ａと、端子部連結部１６ｂと、第１の端子部１６ｃと、第２の端子部１６ｄと、は同一のフレキシブル・プリント基板により構成されることにより、電気的に接続されていてもよい。
【００４７】
次に、アンテナユニット１６を電子機器１に取り付けた後のアンテナユニット１６について説明する。
【００４８】
図１７は、アンテナユニット１６を電子機器１に取り付けた後の正面ＦＳから背面ＲＳへ向かう方向にてアンテナユニット１６を見た図である。図１８は、アンテナユニット１６を電子機器１に取り付けた後の背面ＲＳから正面ＦＳへ向かう方向にてアンテナユニット１６を見た図である。
【００４９】
図１７及び図１８に示したように、アンテナユニット１６は、ＦＰＣ１６ｅが折り曲げられるとともに第１の端子部１６ｃが折り返され、且つ、ＦＰＣ１６ｆが折り曲げられるとともに第２の端子部１６ｄが折り返された状態にて、電子機器１に取り付けられる。即ち、アンテナユニット１６が電子機器１に取り付けられた状態においては、第３の貫通穴ＨＬ３は、１辺にＦＰＣ１６ｅの折れ曲がりによる凹部を有する長方形状となる。同様に、第４の貫通穴ＨＬ４も、１辺にＦＰＣ１６ｆの折れ曲がりによる凹部を有する長方形状となる。
【００５０】
図１９は、図１７における左側からアンテナユニット１６を見た左側面図である。図２０は、図１７における右側からアンテナユニット１６を見た右側面図である。図２１は、図１７における上側からアンテナユニット１６を見た上側面図である。図２２は、図１７における下側からアンテナユニット１６を見た下側面図である。
【００５１】
アンテナユニット１６は、図７乃至図１０に示したように、筐体１０の内部に配設される。具体的には、アンテナユニット１６は、筐体１０の短辺の１つ（本例では、図２における下側の辺）に沿ってエレメント配設部１６ａが伸びるように、且つ、筐体１０の長辺の１つ（本例では、図２における右側の辺）に沿って端子部連結部１６ｂが延びるように、配設される。
【００５２】
即ち、アンテナユニット１６は、エレメント配設部１６ａの長辺方向が筐体１０の短辺方向に沿うように（平行になるように）、且つ、端子部連結部１６ｂの長辺方向が筐体１０の長辺方向に沿うように（平行になるように）、配置される。更に、アンテナユニット１６は、エレメント配設部１６ａ及び端子部連結部１６ｂが、筐体１０の正面ＦＳに沿うように（平行になるように）配置される。
【００５３】
リヤケース１２は、ユニット配置部１２ａを備える。ユニット配置部１２ａは、筐体１０の隅部にて、正面ＦＳと平行に且つ平板状に形成されている。ユニット配置部１２ａには、第１の貫通穴ＨＬ１と、第２の貫通穴ＨＬ２と、が形成されている。
【００５４】
図２３は、アンテナユニット１６を電子機器１に取り付ける前の正面ＦＳから背面ＲＳへ向かう方向にてユニット配置部１２ａを見た図である。図２４は、アンテナユニット１６を電子機器１に取り付けた後の正面ＦＳから背面ＲＳへ向かう方向にてユニット配置部１２ａを見た図である。
【００５５】
第１の貫通穴ＨＬ１、及び、第２の貫通穴ＨＬ２のそれぞれは、長辺と短辺とを有する長方形状を有する。第２の貫通穴ＨＬ２は、第２の貫通穴ＨＬ２の長辺方向が、第１の貫通穴ＨＬ１の長辺方向と平行になるように形成されている。
【００５６】
第２の貫通穴ＨＬ２の短辺方向における長さは、第４の貫通穴ＨＬ４の短辺方向における長さよりも短い。第２の貫通穴ＨＬ２の長辺方向における長さは、第４の貫通穴ＨＬ４の長辺方向における長さと略同じである。
【００５７】
第２の貫通穴ＨＬ２は、後述するように、第１の端子部１６ｃを第１の貫通穴ＨＬ１に挿入するとともに、ユニット配置部１２ａに対して折り返すように屈折させた状態における第１の端子部１６ｃと、第４の貫通穴ＨＬ４を形成する縁部のうちの第２の端子部１６ｄが繋がっている部分（第２の端子部連結部、本例では、ＦＰＣ１６ｆと端子部連結部１６ｂとが連結されている部分）と、の間に形成される。
【００５８】
アンテナユニット１６は、第１の貫通穴ＨＬ１の縁部と、第３の貫通穴ＨＬ３の凹部以外の縁部と、を合わせ（又は、一致させ）、且つ、第２の貫通穴ＨＬ２の縁部と、第２の端子部連結部と、を合わせ（又は、一致させ）た状態にて、アンテナユニット１６の正面ＭＳとユニット配置部１２ａの背面ＲＳ側の表面とが両面粘着テープＴＰ１を介して接着されることによりリヤケース１２に固定される。なお、両面粘着テープＴＰ１は、防水性を有するように構成されることが好適である。
【００５９】
なお、第１の貫通穴ＨＬ１、及び、第３の貫通穴ＨＬ３の大きさは、異なっていてもよい。また、第１の貫通穴ＨＬ１、及び、第３の貫通穴ＨＬ３の縁部を合わせやすいように、アンテナユニット１６の外形に沿ったガイド状のリブが筐体１０に形成されることが好適である。更に、第１の貫通穴ＨＬ１、及び、第３の貫通穴ＨＬ３の縁部を合わせやすいように、アンテナユニット１６に位置決め用の貫通孔が形成され、且つ、その貫通孔へ挿入されるガイドピンがユニット配置部１２ａに形成されることが好適である。また、第１の端子部１６ｃの短辺方向における長さが第１の貫通穴ＨＬ１の短辺方向における長さと略同じであってもよい。
【００６０】
なお、第２の貫通穴ＨＬ２、及び、第２の端子部連結部を合わせやすいように、アンテナユニット１６の外形に沿ったガイド状のリブが筐体１０に形成されることが好適である。更に、第２の貫通穴ＨＬ２、及び、第２の端子部連結部を合わせやすいように、アンテナユニット１６に位置決め用の貫通孔が形成され、且つ、その貫通孔へ挿入されるガイドピンがユニット配置部１２ａに形成されることが好適である。また、第２の端子部１６ｄの長辺方向における長さが第２の貫通穴ＨＬ２の長辺方向における長さと略同じであってもよい。
【００６１】
更に、端子部連結部１６ｂの背面ＮＳには、第３の貫通穴ＨＬ３及び第４の貫通穴ＨＬ４を塞ぐように、防水フィルムＦＬが両面粘着テープＴＰ２を介して接着される。即ち、防水フィルムＦＬは、第１の貫通穴ＨＬ１及び第２の貫通穴ＨＬ２を塞ぐように被覆する被覆部材を構成している。なお、両面粘着テープＴＰ２は、防水性を有するように構成されることが好適である。
【００６２】
図７乃至図１０及び図１７乃至図２４に示したように、第１の端子部１６ｃは、第１の貫通穴ＨＬ１に挿入されるとともに、端子部連結部１６ｂに対して折り返されるように、第１の端子部１６ｃの長辺方向（第１の方向）にて屈折させられる。これにより、第１の端子部１６ｃの正面ＭＳは、ユニット配置部１２ａの正面ＦＳ側の表面と当接する。
【００６３】
同様に、第２の端子部１６ｄは、第２の貫通穴ＨＬ２に挿入されるとともに、端子部連結部１６ｂに対して折り返されるように、第２の端子部１６ｄの短辺方向（第１の方向と直交する第２の方向）にて屈折させられる。これにより、第２の端子部１６ｄの正面ＭＳは、ユニット配置部１２ａの正面ＦＳ側の表面と当接する。
【００６４】
更に、基板１５上に配設されたバネ接点１５ａ，１５ｂは、第１の端子部１６ｃが有する第１の端子１６ｃ１、及び、第２の端子部１６ｄが有する第２の端子１６ｄ１をユニット配置部１２ａへ向けて押圧する。これにより、基板１５とアンテナユニット１６とが電気的に接続される。
【００６５】
本例では、第１の端子１６ｃ１は、バネ接点１５ａを介して、基板１５内の接地された導体と接続される。また、第２の端子１６ｄ１は、バネ接点１５ｂを介して、基板１５内の、無線信号を送受信するための回路と電気的に接続される。
【００６６】
なお、電子機器１は、第１の端子１６ｃ１が、バネ接点１５ａを介して、基板１５内の、無線信号を送受信するための回路と接続され、且つ、第２の端子１６ｄ１が、バネ接点１５ｂを介して、基板１５内の接地された導体と電気的に接続されていてもよい。
【００６７】
また、電子機器１は、第１の端子１６ｃ１が、バネ接点１５ａを介して、基板１５内の、無線信号を送受信するための回路と接続され、且つ、第２の端子１６ｄ１が、バネ接点１５ｂを介して、アンテナユニット１６へ電力を供給するための回路と電気的に接続されていてもよい。
【００６８】
また、電子機器１は、第１の端子１６ｃ１が、バネ接点１５ａを介して、基板１５内の、第１の無線信号を送受信するための回路と接続され、且つ、第２の端子１６ｄ１が、バネ接点１５ｂを介して、第２の無線信号を送受信するための回路と電気的に接続されていてもよい。
【００６９】
以上、説明したように、本発明の第１実施形態に係る電子機器１において、第１の端子部１６ｃは、第１の貫通穴ＨＬ１に挿入され、且つ、第２の端子部１６ｄは、第２の貫通穴ＨＬ２に挿入される。更に、電子機器１は、第１の貫通穴ＨＬ１、及び、第２の貫通穴ＨＬ２を塞ぐように被覆する被覆部材ＦＬを備える。
【００７０】
これによれば、第１の配線と第２の配線とが比較的近い距離にて平行に並ぶように配置されることを回避することができる。これにより、アンテナ特性（例えば、アンテナユニットによる無線信号の受信感度等）が劣化することを回避しながら端子（本例では、第１の端子１６ｃ１、及び、第２の端子１６ｄ１）が配置される領域を防水することができる。
【００７１】
更に、本発明の第１実施形態に係る電子機器１において、第１の配線は、第１の方向に沿うように配置される。加えて、第１の端子部１６ｃは、第１の方向にて屈折されることにより第１の貫通穴ＨＬ１に挿入される。更に、第２の配線は、第１の方向と直交する第２の方向に沿うように配置される。加えて、第２の端子部１６ｄは、第２の方向にて屈折されることにより第２の貫通穴ＨＬ２に挿入される。
【００７２】
これによれば、第１の配線と第２の配線とは、直交する。従って、第１の配線と第２の配線とが比較的近い距離にて平行に並ぶように配置されることを確実に回避することができる。
【００７３】
加えて、本発明の第１実施形態に係る電子機器１において、第１の端子部１６ｃ、及び、第２の端子部１６ｄのそれぞれは、シート状に形成される。更に、第１の端子部１６ｃは、一方の面に第１の端子１６ｃ１を有する。加えて、第２の端子部１６ｄは、第１の端子部１６ｃの、第１の端子１６ｃ１が配置された面と同じ側の面に第２の端子１６ｄ１を有する。
【００７４】
これによれば、アンテナユニット１６をユニット配置部１２ａの表面（本例では、ユニット配置部１２ａの背面ＲＳ側の面）に配置するとともに、２つの端子部（本例では、第１の端子部１６ｃ、及び、第２の端子部１６ｄ）のそれぞれを、当該表面に対して折り返すように屈折させることにより、ユニット配置部１２ａの裏面（本例では、ユニット配置部１２ａの正面ＦＳ側の面）にて、２つの端子１６ｃ１，１６ｄ１のそれぞれを外部に露出させることができる。
【００７５】
これにより、２つの端子１６ｃ１，１６ｄ１のそれぞれがバネ接点１５ａ，１５ｂにより押圧される力は、ユニット配置部１２ａにより受け止められる。これにより、アンテナユニット１６がユニット配置部１２ａから離れてしまう可能性を低減することができる。
【００７６】
更に、本発明の第１実施形態に係る電子機器１において、端子部連結部１６ｂは、短辺と長辺とを有する長方形状に形成される。更に、第３の貫通穴ＨＬ３と、第４の貫通穴ＨＬ４と、は、長辺方向において並ぶように配置される。加えて、第１の端子部１６ｃは、第３の貫通穴ＨＬ３を形成する縁部のうちの第４の貫通穴ＨＬ４との間の距離が最も短い部分と長辺方向にて繋がっている。更に、第２の端子部１６ｄは、第４の貫通穴ＨＬ４を形成する縁部と短辺方向にて繋がっている。
【００７７】
これによれば、比較的狭い領域内に、第１の端子部１６ｃと第２の端子部１６ｄとを形成することができる。更に、被覆部材ＦＬの面積も小さくすることができる。また、第１の配線と第２の配線とが過度に近づくことを回避しながら、第１の貫通穴ＨＬ１に挿入された状態における第１の端子１６ｃ１と、第２の貫通穴ＨＬ２に挿入された状態における第２の端子１６ｄ１と、を十分に近づけることができる。
【００７８】
加えて、本発明の第１実施形態に係る電子機器１において、第２の貫通穴ＨＬ２は、第１の端子部１６ｃをユニット配置部１２ａに対して折り返すように屈折させた状態における第１の端子部１６ｃと、第４の貫通穴ＨＬ４を形成する縁部のうちの第２の端子部１６ｄが繋がっている部分と、の間に形成される。
【００７９】
これによれば、アンテナユニット１６をユニット配置部１２ａの表面に配置するとともに、第１の端子部１６ｃを当該表面に対して折り返すように屈折させた状態において、第１の端子部１６ｃを、ユニット配置部１２ａの裏面に確実に当接させることができる。
【００８０】
なお、第１実施形態の第１変形例に係る電子機器１において、アンテナユニット１６は、３つ以上の端子を有していてもよい。
また、第１実施形態の第２変形例に係る電子機器１において、第１の配線の配線方向（配線が延びる方向）と第２の配線の配線方向とが、直角以外の角度にて交差するように配置されていてもよい。
【００８１】
また、第１実施形態においては、アンテナユニット１６の各構成要素は、短辺と長辺とを有する長方形状であったが、正方形状であってもよい。また、アンテナユニット１６の各構成要素は、短辺の位置と長辺の位置とを置換した長方形状であってもよい。また、筐体１０に形成された、第１の貫通穴ＨＬ１、及び、第２の貫通穴ＨＬ２は、ＦＰＣ１６ｅ，１６ｆが挿通可能な幅を有していればよい。
【００８２】
また、第１実施形態においては、アンテナユニット１６の、第１の端子部１６ｃ、又は、第２の端子部１６ｄが折り返される方向は、それぞれ、第３の貫通穴ＨＬ３の長辺方向、又は、第４の貫通穴ＨＬ４の短辺方向に沿う方向であった。
【００８３】
ところで、第１実施形態の第３変形例に係る電子機器１において、第１の端子部１６ｃ、又は、第２の端子部１６ｄが折り返される方向は、第１の端子１６ｃ１と第２の端子１６ｄ１とが近傍に配置される範囲において、それぞれ、第３の貫通穴ＨＬ３の長辺方向、又は、第４の貫通穴ＨＬ４の短辺方向に交差する方向であってもよい。この場合、第１の貫通穴ＨＬ１、及び、第２の貫通穴ＨＬ２も、第１の端子部１６ｃ、及び、第２の端子部１６ｄが折り返される方向に合わせて形成されることが好適である。
【００８４】
また、アンテナユニット１６は、第１の端子部１６ｃの位置と第２の端子部１６ｄの位置とを置換した構成を有していてもよい。また、第１実施形態においては、アンテナユニット１６は、エレメント配設部１６ａと端子連結部１６ｂとが直交するように形成されていたが、筐体１０の形状に沿うような形状を有していてもよい。
【００８５】
また、第１実施形態においては、アンテナユニット１６の、エレメント配設部１６ａ及び端子連結部１６ｂは、筐体１０の正面ＦＳと平行になるように配置されていたが、筐体１０の正面ＦＳに対して傾斜するように配置されていてもよい。この場合、リヤケース１２のユニット配置部１２ａは、アンテナユニット１６と平行に設けられる。この場合、例えば、筐体１０の大きさに対して、エレメント配設部１６ａが大きい場合であっても、エレメント配設部１６ａを筐体１０の内部に収容することができる。
【００８６】
また、第１実施形態の第４変形例に係る電子機器１において、第１の貫通穴ＨＬ１、及び、第２の貫通穴ＨＬ２は、連接していてもよい。この場合、第１の端子部１６ｃ及び第２の端子部１６ｄを折り返すための貫通穴を形成する縁部を設けることが好適である。なお、折り返された、第１の端子部１６ｃ及び第２の端子部１６ｄは、第１実施形態と同様に、ユニット配置部１２ａの裏面に当接する。
【００８７】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００８８】
また、上記実施形態の他の変形例として、上述した実施形態及び変形例の任意の組み合わせが採用されてもよい。
【００８９】
＜付記＞
上記実施形態の一部又は全部は、以下の付記のように記載され得るが、以下には限られない。
【００９０】
（付記１）
電子機器であって、
アンテナユニットと、
前記アンテナユニットが設けられたユニット配置部と、
を備え、
前記アンテナユニットは、
電磁波を送受信するためのエレメントと、
前記エレメントと電気的に接続された第１の配線と、当該第１の配線と接続され且つ外部に露出する第１の端子と、を有するとともに屈折可能な第１の端子部と、
前記エレメントと電気的に接続された第２の配線と、当該第２の配線と接続され且つ外部に露出する第２の端子と、を有するとともに屈折可能な第２の端子部と、
を備え、
前記ユニット配置部には、第１の貫通穴と、第２の貫通穴と、が設けられ、
前記第１の端子部は、前記第１の貫通穴に挿入され、
前記第２の端子部は、前記第２の貫通穴に挿入され、
前記電子機器は、更に、
前記第１の貫通穴及び第２の貫通穴を塞ぐ被覆部材を備える電子機器。
【００９１】
これによれば、第１の配線と第２の配線とが比較的近い距離にて平行に並ぶように配置されることを回避することができる。これにより、アンテナ特性（例えば、アンテナユニットによる無線信号の受信感度等）が劣化することを回避しながら端子が配置される領域を防水することができる。
【００９２】
（付記２）
付記１に記載の電子機器であって、
前記第１の配線は、第１の方向に沿うように配置され、
前記第１の端子部は、前記第１の方向にて屈折されることにより前記第１の貫通穴に挿入され、
前記第２の配線は、前記第１の方向と交差する第２の方向に沿うように配置され、
前記第２の端子部は、前記第２の方向にて屈折されることにより前記第２の貫通穴に挿入される電子機器。
【００９３】
これによれば、第１の配線と第２の配線とは、直交する。従って、第１の配線と第２の配線とが比較的近い距離にて平行に並ぶように配置されることを確実に回避することができる。
【００９４】
（付記３）
付記１又は付記２に記載の電子機器であって、
前記第１の端子部、及び、前記第２の端子部のそれぞれは、シート状であり、
前記第１の端子部は、一方の面に前記第１の端子を有し、
前記第２の端子部は、前記第１の端子部の、前記第１の端子が配置された面と同じ側の面に前記第２の端子を有する電子機器。
【００９５】
これによれば、アンテナユニットをユニット配置部の表面に配置するとともに、２つの端子部のそれぞれを、当該表面に対して折り返すように屈折させることにより、ユニット配置部の裏面にて、２つの端子のそれぞれを外部に露出させることができる。これにより、例えば、２つの端子のそれぞれがバネ接点により押圧されることによりバネ接点と接続される場合において、２つの端子がバネ接点によって押圧される力は、ユニット配置部により受け止められる。これにより、アンテナユニットがユニット配置部から離れてしまう可能性を低減することができる。
【００９６】
（付記４）
付記１乃至付記３のいずれかに記載の電子機器であって、
前記アンテナユニットは、
前記エレメントが設けられたエレメント配設部と、
前記第１の端子部及び前記第２の端子部が設けられた端子部連結部と、
を備え、
前記端子部連結部には、第３の貫通穴と、第４の貫通穴と、があり、
前記第１の端子部は、前記第３の貫通穴を形成する縁部から延在し、
前記第２の端子部は、前記第４の貫通穴を形成する縁部から延在する電子機器。
【００９７】
（付記５）
付記４に記載の電子機器であって、
前記端子部連結部は、短辺と長辺とを有する長方形状であり、
前記第３の貫通穴と、前記第４の貫通穴と、は、長辺方向において並ぶように設けられ、
前記第１の端子部は、前記第３の貫通穴を形成する縁部のうちの前記第４の貫通穴との間の距離が最も短い部分と長辺方向にて連結され、
前記第２の端子部は、前記第４の貫通穴を形成する縁部と短辺方向にて連結される電子機器。
【００９８】
これによれば、比較的狭い領域内に、第１の端子部と第２の端子部とを形成することができる。更に、被覆部材の面積も小さくすることができる。また、第１の配線と第２の配線とが過度に近づくことを回避しながら、第１の貫通穴に挿入された状態における第１の端子と、第２の貫通穴に挿入された状態における第２の端子と、を十分に近づけることができる。
【００９９】
（付記６）
付記５に記載の電子機器であって、
前記第２の貫通穴は、前記第１の端子部を前記ユニット配置部に対して折り返すように屈折させた状態における当該第１の端子部と、前記第４の貫通穴を形成する縁部のうちの前記第２の端子部が連結されている部分と、の間に形成される電子機器。
【０１００】
これによれば、アンテナユニットをユニット配置部の表面に配置するとともに、第１の端子部を当該表面に対して折り返すように屈折させた状態において、第１の端子部を、ユニット配置部の裏面に確実に当接させることができる。
【０１０１】
（付記７）
付記１乃至付記６のいずれかに記載の電子機器であって、
前記アンテナユニットは、シート状である電子機器。
【０１０２】
（付記８）
アンテナユニットであって、
電磁波を送受信するためのエレメントと、
前記エレメントと電気的に接続された第１の配線と、当該第１の配線と接続され且つ外部に露出する第１の端子と、を有するとともに屈折可能な第１の端子部と、
前記エレメントと電気的に接続された第２の配線と、当該第２の配線と接続され且つ外部に露出する第２の端子と、を有するとともに屈折可能な第２の端子部と、
を備え、
前記第１の端子部は、前記アンテナユニットが設けられるユニット配置部に設けられた第１の貫通穴に挿入され、且つ、
前記第２の端子部は、前記ユニット配置部に設けられた第２の貫通穴に挿入されるように構成されたアンテナユニット。
【０１０３】
（付記９）
付記８に記載のアンテナユニットであって、
前記第１の配線は、第１の方向に沿うように配置され、
前記第１の端子部は、前記第１の方向にて屈折されることにより前記第１の貫通穴に挿入され、
前記第２の配線は、前記第１の方向と交差する第２の方向に沿うように配置され、
前記第２の端子部は、前記第２の方向にて屈折されることにより前記第２の貫通穴に挿入されるように構成されたアンテナユニット。
【０１０４】
（付記１０）
付記８又は付記９に記載のアンテナユニットであって、
前記第１の端子部、及び、前記第２の端子部のそれぞれは、シート状であり、
前記第１の端子部は、一方の面に前記第１の端子を有し、
前記第２の端子部は、前記第１の端子部の、前記第１の端子が配置された面と同じ側の面に前記第２の端子を有するアンテナユニット。
【０１０５】
（付記１１）
付記８乃至付記１０のいずれかに記載のアンテナユニットであって、
前記エレメントが設けられたエレメント配設部と、
前記第１の端子部及び前記第２の端子部が設けられた端子部連結部と、
を備え、
前記端子部連結部には、第３の貫通穴と、第４の貫通穴と、があり、
前記第１の端子部は、前記第３の貫通穴を形成する縁部から延在し、
前記第２の端子部は、前記第４の貫通穴を形成する縁部から延在するアンテナユニット。
【０１０６】
（付記１２）
付記１１に記載のアンテナユニットであって、
前記端子部連結部は、短辺と長辺とを有する長方形状であり、
前記第３の貫通穴と、前記第４の貫通穴と、は、長辺方向において並ぶように設けられ、
前記第１の端子部は、前記第３の貫通穴を形成する縁部のうちの前記第４の貫通穴との間の距離が最も短い部分と長辺方向にて連結され、
前記第２の端子部は、前記第４の貫通穴を形成する縁部と短辺方向にて連結されるアンテナユニット。
【０１０７】
（付記１３）
付記１２に記載のアンテナユニットであって、
前記第２の貫通穴は、前記第１の端子部を前記ユニット配置部に対して折り返すように屈折させた状態における当該第１の端子部と、前記第４の貫通穴を形成する縁部のうちの前記第２の端子部が連結されている部分と、の間に形成されるアンテナユニット。
【０１０８】
（付記１４）
付記８乃至付記１３のいずれかに記載のアンテナユニットであって、
シート状であるアンテナユニット。
【産業上の利用可能性】
【０１０９】
本発明は、筐体の内部を防水するように構成された電子機器、及び、電磁波を送受信するためのアンテナユニット等に適用可能である。
【符号の説明】
【０１１０】
１      電子機器
１０    筐体
１１    フロントケース
１２    リヤケース
１２ａ  ユニット配置部
１３    リヤカバー
１４    ディスプレイ
１５    基板
１５ａ，１５ｂ  バネ接点
１６    アンテナユニット
１６ａ  エレメント配設部
１６ｂ  端子部連結部
１６ｃ  第１の端子部
１６ｃ１  第１の端子
１６ｄ  第２の端子部
１６ｄ１  第２の端子
１６ｅ，１６ｆ  ＦＰＣ
ＦＬ    防水フィルム
ＦＳ    正面
ＨＬ１  第１の貫通穴
ＨＬ２  第２の貫通穴
ＨＬ３  第３の貫通穴
ＨＬ４  第４の貫通穴
ＭＳ    正面
ＮＳ    背面
ＲＳ    背面
ＳＳ    側面
ＴＰ１，ＴＰ２  両面粘着テープ
【図１】
2013106286.tif 000003
【図２】
2013106286.tif 000004
【図３】
2013106286.tif 000005
【図４】
2013106286.tif 000006
【図５】
2013106286.tif 000007
【図６】
2013106286.tif 000008
【図７】
2013106286.tif 000009
【図８】
2013106286.tif 000010
【図９】
2013106286.tif 000011
【図１０】
2013106286.tif 000012
【図１１】
2013106286.tif 000013
【図１２】
2013106286.tif 000014
【図１３】
2013106286.tif 000015
【図１４】
2013106286.tif 000016
【図１５】
2013106286.tif 000017
【図１６】
2013106286.tif 000018
【図１７】
2013106286.tif 000019
【図１８】
2013106286.tif 000020
【図１９】
2013106286.tif 000021
【図２０】
2013106286.tif 000022
【図２１】
2013106286.tif 000023
【図２２】
2013106286.tif 000024
【図２３】
2013106286.tif 000025
【図２４】
2013106286.tif 000026